(57)【要約】      （修正有）【課題】  採取試料を少なくして対象者の負担を減少させ、穿刺時に試薬が体内に入るのを防止するとともに製造コストの低減化を図ることができるバイオセンサチップおよびその製造方法を提供する。【解決手段】  スペーサ層１２を２枚の基板１１ａ、１１ｂにより挟んで形成され、内部に、試料導入口１６に連続する中空反応部１４および検知用電極１３ａ、１３ｂを有する。そして、穿刺により試料Ｂを採取するための試料採取器具１５が、バイオセンサチップ１０の外部に固定されている。バイオセンサチップ１０の内部に試料採取器具１５を設けないので、バイオセンサチップ１０の小型化を図ることができ、これに伴い、試料Ｂの採取量を少なくして対象者の負担を減少させることができる。さらに、試料採取器具１５は試薬１７が塗布されている中空反応部１４には連続していないので、穿刺時に試薬が対象者の体内に入るのを防止することができる。【選択図】  図１
2007289358.tif 000002
【特許請求の範囲】
【請求項１】
互いに対向する２枚の基板と、前記２枚の基板間に挟装されるスペーサ層と、前記２枚の基板の少なくとも１枚の基板のスペーサ層側の表面に設けられた検知用電極と、前記２枚の基板及び前記スペーサ層により形成される中空反応部と、前記中空反応部に試料を導入する試料導入口とを有するバイオセンサチップであって、
検体から試料を得るための試料採取器具が前記バイオセンサチップの外部に固定されていることを特徴とするバイオセンサチップ。
【請求項２】
前記試料採取器具の先端と前記試料導入口とが近接していることを特徴とする請求項１に記載のバイオセンサチップ。
【請求項３】
前記試料を前記試料導入口に誘導するガイド部材を設けたことを特徴とする請求項１または２に記載のバイオセンサチップ。
【請求項４】
請求項１〜３のいずれか１項に記載のバイオセンサチップの製造方法であって、
前記試料採取器具を固定手段により前記バイオセンサチップの外部に取り付けることを特徴とするバイオセンサチップの製造方法。
【請求項５】
前記固定手段が、粘着テープであることを特徴とする請求項４に記載のバイオセンサチップの製造方法。
【請求項６】
前記固定手段に連結された複数本の試料採取器具を一括して複数個の前記バイオセンサチップの外部に固定することを特徴とする請求項４または５に記載のバイオセンサチップの製造方法。
【請求項７】
請求項１〜３のいずれか１項に記載のバイオセンサチップと、このバイオセンサチップの検知用電極に接続して採取された試料の情報を得る測定器とを有することを特徴とするバイオセンサシステム。
【発明の詳細な説明】
【技術分野】
【０００１】
本発明は、チップの中空反応部に収容した試薬を用いて化学物質の測定や分析を行うバイオセンサチップおよびその製造方法に関するものである。
【背景技術】
【０００２】
バイオセンサチップを用いた測定では、測定対象の試料をバイオセンサチップの中空反応部に導入し、この中空反応部で酵素反応や抗原−抗体反応等の生化学反応を起こし、この生化学反応により得られる情報をバイオセンサチップから測定装置に出力して試料の分析を行うものである。バイオセンサチップによる測定は、生体の持つ優れた分子識別機能を利用するものであり、微量な試料を用いて化学物質の迅速かつ簡便な測定を可能にするものとして注目されている。一例として、バイオセンサチップによる測定方法を用いて、血液中のグルコース量（血糖値）や尿糖値を測定することができ、糖尿病を自己管理し予防する家庭内健康診断（セルフケア）等に使用することが可能である。
【０００３】
従来のバイオセンサチップの一例として下記の特許文献がある。特許文献１に記載された皮膚パッチは、図６に示すように、皮膚パッチ１００には２個の層１０１、１０２が形成され、層１０１に一定の針、ランセットまたはカニューレ等の侵入装置１０３、及び圧力リング１０４が取り付けられている。２個の層１０１、１０２の間には微小通路システム１０６があり、略中央に分配ポート１０５が形成されている。微小通路システム１０６に対応して、電気化学的な各検出器１０７、疎水性ゲート１０８、電気−浸透圧型ポンプ・システム１０９が配置されている。
【特許文献１】特開２００４−５２０１０３号公報
【発明の開示】
【発明が解決しようとする課題】
【０００４】
近年、自己管理し予防する家庭内健康診断等の観点から、バイオセンサチップの小型化、微小化が望まれている。これは、検査対象者の試料採取の負担を軽減すべく、微量の試料で正確かつ迅速に検査結果を導き出すためである。一例として、採血による血糖値の測定では、対象者自らが採血することがあり、採血時間が短く、かつ、採血量が少ない方が対象者の負担を軽減できる。
【０００５】
特許文献１に記載の手法では、針により採血を開始するが、針が検査対象者に刺さったままの状態で採血を行わなければならないため、検査対象者の負担増が考えられるという問題がある。
また、針が内蔵されているバイオセンサチップも提案されている。しかしながら、試薬（酵素、メディエータ等）が塗布された中空反応部内に針が内蔵される場合には、中空反応部の大きさが針径の太さ以上の厚みおよび幅となるため、必然的に中空反応部の容量が増大して、採血量が多くなり易いという問題がある。また、針がバイオセンサチップに内蔵されている場合には、試薬と針とが直接接触しやすいため、飛散した試薬が針に付着して、穿刺時に試薬が検体の体内に入る危険性もある。さらに、針をバイオセンサチップ内に配置するのが困難であるとともに、バイオセンサチップの製造工程の途中において針を位置決めするため、その後の工程で針の位置ずれを起こさないように留意したり、針を傷めたりしないように留意して製造をしなければならないため、コストアップを招くという問題がある。
【０００６】
本発明は、前述した問題点に鑑みてなされたものであり、その目的は、採取試料を少なくして対象者の負担を減少させ、穿刺時に試薬が体内に入るのを防止するとともに製造コストの低減化を図ることができるバイオセンサチップおよびその製造方法を提供することにある。
【課題を解決するための手段】
【０００７】
前述した目的を達成するために、本発明にかかるバイオセンサチップの第１の特徴は、互いに対向する２枚の基板と、前記２枚の基板間に挟装されるスペーサ層と、前記２枚の基板の少なくとも１枚の基板のスペーサ層側の表面に設けられた検知用電極と、前記２枚の基板及び前記スペーサ層により形成される中空反応部と、前記中空反応部に試料を導入する試料導入口とを有するバイオセンサチップであって、検体から試料を得るための試料採取器具が前記バイオセンサチップの外部に固定されていることにある。
本発明においては、針、ランセット針及びカニューレ等を試料採取器具と呼ぶ。
【０００８】
このように構成されたバイオセンサチップは、スペーサ層を２枚の基板により挟んで形成され、内部に、試料導入口に連続する中空反応部および検知用電極を有する。そして、穿刺により試料を採取するための試料採取器具が、バイオセンサチップの外部に固定されている。このため、バイオセンサチップの製造後に、試料採取器具をバイオセンサチップの外部の所定位置に取り付けることができるので、製造が容易でコストの低減化を図ることができるとともに、試料採取器具を取り付ける位置を高精度で位置決めすることができる。また、バイオセンサチップの内部に試料採取器具を設けないので、バイオセンサチップの小型化を図ることができ、これに伴い、試料の採取量を少なくして対象者の負担を減少させることができる。さらに、試料採取器具は試薬が塗布されている中空反応部には連続していないので、穿刺時に試薬が対象者の体内に入るのを防止することができる。
【０００９】
また、本発明にかかるバイオセンサチップの第２の特徴は、上記本発明の第１の特徴において、前記試料採取器具の先端と前記試料導入口とが近接していることにある。
【００１０】
このように構成されたバイオセンサチップにおいては、試料採取器具の先端と試料導入口とが近接しているので、試料採取器具による穿刺後に、試料導入口の位置決めを行うことなく、速やかに試料導入口から試料を採取することができる。
【００１１】
また、本発明にかかるバイオセンサチップの第３の特徴は、上記本発明の第１または第２の特徴において、前記試料を前記試料導入口に誘導するガイド部材を設けたことにある。
【００１２】
このように構成されたバイオセンサチップにおいては、試料採取器具を穿刺し、試料採取器具を抜くことにより出てきた試料を、ガイド部材により試料導入口にガイドするので、試料導入口を穿刺位置に合わせる努力をすることなく試料を確実に採取することができ、試料の採取量を減少させて対象者の負担を減ずることができる。また、穿刺前においては、ガイド部材により試料採取器具を保護し、使用者等が不注意に試料採取器具を刺して傷つくのを防止しても良い。
【００１３】
また、本発明にかかるバイオセンサチップの製造方法の第４の特徴は、請求項１〜３のいずれか１項に記載のバイオセンサチップの製造方法であって、前記試料採取器具を固定手段により前記バイオセンサチップの外部に取り付けることにある。
【００１４】
このように構成されたバイオセンサチップの製造方法においては、スペーサ層を２枚の基板により挟んで、内部に、試料導入口に連続する中空反応部および検知用電極を有するバイオセンサチップを製造する。そして、その後、穿刺により試料を採取するための試料採取器具を、固定手段によりバイオセンサチップの外部に固定するので、製造が容易になってコストの低減化を図ることができるとともに、試料採取器具を取り付ける位置を高精度で位置決めすることができる。また、バイオセンサチップの内部に試料採取器具を設けないので、バイオセンサチップの小型化を図ることができ、これに伴い、試料の採取量を少なくして対象者の負担を減少させることができる。さらに、試料採取器具は試薬が塗布されている中空反応部には連続していないので、穿刺時に試薬が対象者の体内に入るのを防止することができる。
【００１５】
また、本発明にかかるバイオセンサチップの製造方法の第５の特徴は、上記本発明の第４の特徴において、前記固定手段が、粘着テープであることにある。
【００１６】
このように構成されたバイオセンサチップの製造方法においては、製造されて所定位置に整列されているバイオセンサチップに、粘着テープによって試料採取器具を固定するので、容易に試料採取器具を取り付けることができる。
【００１７】
また、本発明にかかるバイオセンサチップの製造方法の第６の特徴は、前記固定手段に連結された複数本の試料採取器具を一括して複数個の前記バイオセンサチップの外部に固定することにある。
【００１８】
このように構成されたバイオセンサチップの製造方法においては、固定手段に取り付けられている複数本の試料採取器具を、製造されて所定位置に整列されている複数個のバイオセンサチップに一括して固定するので、製造時間を短縮して、製造コストを低減化することができる。
【００１９】
また、本発明にかかるバイオセンサシステムの第７の特徴は、上記本発明の第１から第３のいずれかの特徴に記載のバイオセンサチップと、このバイオセンサチップの検知用電極に接続して採取された試料の情報を得る測定器とを有することにある。
【００２０】
このように構成されたバイオセンサシステムは、前述したバイオセンサチップによって採取した試料を中空反応部に導き、試薬との生化学反応から得られる情報を検知電極を介して測定器により測定する。
【発明の効果】
【００２１】
本発明によれば、試料採取器具をバイオセンサチップの外部に固定するようにしたので、製造が容易になってコストの低減化を図ることができるとともに、試料採取器具を取り付ける位置を高精度で位置決めすることができる。また、バイオセンサチップの内部に試料採取器具を設けないので、バイオセンサチップの小型化を図ることができ、これに伴い、試料の採取量を少なくして対象者の負担を減少させることができる。さらに、試料採取器具は試薬が塗布されている中空反応部には連続していないので、穿刺時に試薬が対象者の体内に入るのを防止することができるという効果が得られる。
【発明を実施するための最良の形態】
【００２２】
以下、本発明に係る実施形態を図面に基づいて詳細に説明する。
図１（Ａ）は本発明に係るバイオセンサチップの一実施形態を示す平面図、図１（Ｂ）は図１（Ａ）中Ｂ−Ｂ位置の断面図、図２（Ａ）は本発明に係るバイオセンサチップの別の実施形態を示す平面図、図２（Ｂ）は図２（Ａ）中Ｂ−Ｂ位置の断面図、図３（Ａ）〜（Ｄ）は本発明のバイオセンサチップによる試料採取の状態を示す説明図、図４は本発明に係るバイオセンサチップの製造方法を示す説明図、図５は本発明にかかるバイオセンサシステムを示す構成図である。
【００２３】
図１および図２に示すように、本発明のバイオセンサチップ１０の本体１０ａは、互いに対向する２枚の基板１１ａ、１１ｂと、この２枚の基板１１ａ、１１ｂ間に挟装されるスペーサ層１２とを有する。２枚の基板１１ａ、１１ｂの少なくとも１枚の基板１１ａの表面には、検知用電極１３ａ、１３ｂが固定される。２枚の基板１１ａ、１１ｂ及びスペーサ層１２により、中空反応部１４が形成され、検体Ｍ（図３参照）に試料採取器具１５を穿刺して採取した試料Ｂ（図３参照）を中空反応部１４に導入する試料導入口１６を有している。そして、試料採取器具１５が固定手段によりバイオセンサチップ１０の本体１０ａの外部に固定されている。
【００２４】
図１に示すように、基板１１ａ、１１ｂは全体が矩形状をしており、例えば、ポリエチレンテレフタレート（ＰＥＴ）で作成することができる。下側（図１（Ｂ）において左側）の基板１１ａの上には、２つの検知用電極１３ａ、１３ｂが、例えば、カーボンを基板１１ａ上に印刷等することにより形成することができる。検知用電極１３ａ、１３ｂは所定の間隔をおいて平行に直線状に設けられており、両検知用電極１３ａ、１３ｂの一端では、上側の基板１１ｂおよびスペーサ層１２よりも下側の基板１１ａのみが延設されており、検知用電極１３ａ、１３ｂの上面が露出している。あるいは、図２に示すように、検知用電極１３ａ、１３ｂをそれぞれ全体Ｌ字状とし、中空反応部１４において所定の間隔で配置されるようにしてもよい。なお、図２においては、図１で前述した部位と共通する部位には同じ符号を付して、重複する説明を省略することとする。
また、バイオセンサチップ１０の外部としては、例えば、基板１１ａ、１１ｂの外側面を挙げることができる。なお、検知用電極１３ａ、１３ｂを上側（図１（Ｂ）において右側）の基板１１ｂに設けるようにすることもできる。
【００２５】
スペーサ層１２は基板１１ａ、１１ｂと同様の材質を用いて形成することができる。また、スペーサ層１２は１枚であってもよいが、複数枚を積層して形成することもできる。この場合には、複数枚のスペーサ層１２を接合する接着剤もスペーサ層１２を形成することになる。
【００２６】
中空反応部１４は、上下両面を基板１１ａ、１１ｂおよび検知用電極１３ａ、１３ｂにより形成され、所定の形状に切りかかれたスペーサ層１２を側壁として矩形状の空間が形成されている。スペーサ層１２は複数の層からなることも可能である。このため、中空反応部１４においては、検知用電極１３ａ、１３ｂは露出しており、中空反応部１４における検知用電極１３ａ、１３ｂの直上或いは近傍に試薬１７が設けられている。従って、中空反応部１４は、試料導入口１６から導入された例えば血液等の試料Ｂが、試薬１７と生化学反応する部分となる。例えば、血液中のグルコース量を測定するバイオセンサチップ１０の場合は、試薬１７として、グルコースオキシダーゼや、グルコースオキシダーゼ−電子受容体（メディエータ）混合物層、グルコースオキシダーゼ−アルブミン混合物層、又はグルコースオキシダーゼ−電子受容体−アルブミン混合物等が用いられる。グルコースオキシダーゼ以外の酵素、例えばグルコースデヒドロゲナーゼ等を用いる場合もあり、添加剤として緩衝剤や親水性高分子等を試薬中に含めてもよい。
【００２７】
図１および図２に示すように、試料採取器具１５は、先端１５ａが試料導入口１６に近接するように固定されるのが望ましい。これにより、試料採取器具１５による穿刺後に速やかに試料導入口１６から試料Ｂを採取することができる。なお、試料採取器具１５の形状は、図１に示したような全体円錐形状とすることができるが、その他、先端のみが円錐形状で、全体として円柱状であってもよい。また、角錐形状や角柱形状であってもよい。
【００２８】
また、図１（Ａ）および（Ｂ）において二点差線で示すように、試料Ｂを試料導入口１６に誘導するガイド部材１８を試料採取器具１５に沿って、試料採取器具１５の先端１５ａよりも突出するように設けるのが望ましい。ガイド部材１８は、予め基板１１ａと一体的に設けることができるが、バイオセンサチップ１０の製造後に、例えば接着剤や粘着テープを用いて取り付けるようにすることもできる。また、ガイド部材１８は、弾性をもつ板状の部材であって、試料採取器具１５側の表面が親水処理されているものが望ましい。
【００２９】
以上説明したようなバイオセンサチップ１０を用いて行う試料の採集について説明する。
図３（Ａ）に示すように、使用前の状態では、ガイド部材１８は試料採取器具１５の先端１５ａよりも前方（図３（Ａ）において上方）に突出しており、試料採取器具１５の先端１５ａを保護するとともに、使用者が不注意に試料採取器具１５を刺して傷つくのを防止することができる。図３（Ｂ）に示すように、バイオセンサチップ１０を検体Ｍに接近させると、ガイド部材１８の先端が検体Ｍにあたって撓む。図３（Ｃ）に示すように、さらにバイオセンサチップ１０を検体Ｍに近づけて、試料採取器具１５の先端１５ａを検体Ｍに穿刺する。その後、図３（Ｄ）に示すように、バイオセンサチップ１０を検体Ｍから遠ざけると、試料採取器具１５は検体Ｍから抜け、穿刺された箇所から血液等の試料Ｂが流出する。この際、ガイド部材１８の先端が検体Ｍから完全に離脱する前の状態にバイオセンサチップ１０を保持することにより、試料Ｂはガイド部材１８に沿ってバイオセンサチップ１０の試料導入口１６に流れて、中空反応部１４に収容される。このため、試料導入口１６を穿刺位置に合わせる努力をすることなく試料Ｂを確実に採取することができるとともに、試料Ｂの採取量を減少させて対象者の負担を減ずることができる。
【００３０】
次に、本発明に係るバイオセンサチップの製造方法について説明する。
この製造方法においては、図１および図２に示すように、スペーサ層１２を２枚の基板１１ａ、１１ｂにより挟んで、内部に、試料導入口１６に連続する中空反応部１４および検知用電極１３ａ、１３ｂを有するバイオセンサチップ１０の本体１０ａを製造する。そして、前述のようにして製造されたバイオセンサチップ１０の本体１０ａの外側に、前述した試料採取器具１５を固定手段により取り付けるものである。
固定手段としては、粘着テープ１９を用いることが望ましい。すなわち、製造されて所定位置に整列されているバイオセンサチップ１０の本体１０ａに、粘着テープ１９によって試料採取器具１５を固定するので、容易に試料採取器具を取り付けることができる。
【００３１】
また、図４に示すように、固定手段である粘着テープ１９に連結された複数本の試料採取器具１５を一括して複数個のバイオセンサチップ１０の本体１０ａの外部に固定することが望ましい。
これにより、複数本の試料採取器具１５を、製造されて所定位置に整列されている複数個のバイオセンサチップ１０の本体１０ａの外部に一括して固定するので、製造時間を短縮して、製造コストを低減化することができる。
【００３２】
以上、説明したように、本発明に係るバイオセンサチップおよびその製造方法では、バイオセンサチップ１０を製造した後に、試料採取器具１５を、粘着テープ１９によりバイオセンサチップ１０の外部に固定するので、製造が容易になってコストの低減化を図ることができるとともに、試料採取器具１５を取り付ける位置を高精度で位置決めすることができる。また、バイオセンサチップ１０の内部に試料採取器具１５を設けないので、バイオセンサチップ１０の小型化を図ることができ、これに伴い、試料Ｂの採取量を少なくして対象者の負担を減少させることができる。さらに、試料採取器具１５は試薬が設けられている中空反応部１４には連続していないので、穿刺時に誤って試薬が対象者の体内に入るのを防止することができる。
【００３３】
次に、本発明に係るバイオセンサシステムについて説明する。図５には、上述したバイオセンサチップ１０を用いたバイオセンサシステム３０の構成が示されている。
図５に示すように、バイオセンサシステム３０は、試料採取器具１５が取り付けられたバイオセンサチップ１０とバイオセンサ測定器３１により構成されている。バイオセンサチップ１０の構成については上述したとおりであり、その説明はここでは省略する。
バイオセンサ測定器３１は電源３２、制御装置３３、端子挿入部３４、表示部３５を備え、これらが互いに接続されている。端子挿入部３４にはバイオセンサチップ１０から突出している検知用電極１３ａ、１３ｂが挿入され、２つの検知用電極１３ａ、１３ｂ（図１および図２参照）がバイオセンサ測定器３１に電気的に接続可能となっている。このバイオセンサシステム３０は、小型であり、例えば、検査対象者が片手で持つことが可能なハンディタイプである。
【００３４】
このバイオセンサシステム３０を用いて、血糖値を測定する場合を例として、使用方法を説明する。最初に試料採取器具１５付きバイオセンサチップ１０の後方の検知用電極１３ａ、１３ｂが露出した箇所をバイオセンサ測定器３１の端子導入部３４に挿入する。バイオセンサシステム３０の電源３２を入れ、正常に起動しているか確認する。バイオセンサシステム３０を片手に持ち、バイオセンサチップ１０の試料採取器具１５を検体である例えば指Ｍの血液採取箇所、一例として、反対側の手の指に近づけていき、採取箇所を確認した後、試料採取器具１５を穿刺する。
【００３５】
試料採取器具１５を検体Ｍから引き抜くと、試料採取器具１５で穿刺された検体Ｍ（例えば指）から試料である血液Ｂがにじみ出てくる。にじみ出てきた血液Ｂは、図３（Ｄ）に示すように、血液Ｂの表面張力と中空反応部１４の毛細管現象によって、試料導入口１６から中空反応部１４に導入されていく。所定量の血液Ｂを採取したら、指Ｍからバイオセンサシステム３０を離し、測定結果が表示部３５に表示されるのを待つ。中空反応部１４に導入された血液は試薬１７と反応し、検知用電極１３ａ、１３ｂにより計測された電流値或いは電荷値（電荷量）のデータが制御装置３３に送られる。制御装置３３内には検量線データテーブルが格納されており、測定した電流値（電荷値）を基に血糖値の計算が実行される。計算が終了すると、測定結果が表示部３５に表示され、例えば、血糖値が数値としてあらわすことができる。
【００３６】
なお、検査対象者の採血負担を考慮すると、中空反応部の容積は１μＬ（マイクロリットル）以下が好ましく、特に３００ｎＬ（ナノリットル）以下であることが好ましい。このような微小な中空反応部１４であると、試料採取器具１５の直径は小さくても検査対象者の充分な血液量が採取可能である。好ましくは、直径が１０００μｍ以下である。
【００３７】
なお、本発明のバイオセンサチップおよびその製造方法等は、前述した実施形態に限定されるものでなく、適宜な変形，改良等が可能である。
例えば、前述した実施形態においては、バイオセンサチップ１０の全体形状として、正方形に近い矩形状のものを例示したが、形状は特定するものではない。すなわち、バイオセンサチップ１０は非常に小さいものなので、試料Ｂの採取や測定器３１に挿入する際の取扱い性から、例えば細長い矩形状等として使用するのが便利な場合もある。
【００３８】
また、前述した実施形態においては、基板１１ａ、１１ｂの材料としてＰＥＴを例示したが、その他の材料にも適用可能である。例えば、絶縁性材料としては、セラミックス、ガラス、紙、生分解性材料（例えば、ポリ乳酸微生物生産ポリエステル等）、ポリ塩化ビニル、ポリプロピレン、ポリスチレン、ポリカーボネート、アクリル樹脂、ポリブチレンテレフタレート等の熱可塑性樹脂、エポキシ樹脂等の熱硬化樹脂、ＵＶ硬化樹脂等のプラスチック材料を例示することができる。機械的強度、柔軟性、及びチップの作製や加工の容易さ、折り加工の容易さ等から、ポリエチレンテレフタレート等のプラスチック材料が好ましい。
【００３９】
また、試料採取器具１５をバイオセンサチップ１０の外部に取り付ける固定手段として粘着テープ１９を例示したが、その他、接着剤を用いて固定することもできる。
【産業上の利用可能性】
【００４０】
以上のように、本発明に係るバイオセンサチップおよびその製造方法は、試料採取器具をバイオセンサチップの外部に固定するようにしたので、製造が容易になってコストの低減化を図ることができるとともに、試料採取器具を取り付ける位置を高精度で位置決めすることができる。また、バイオセンサチップの内部に試料採取器具を設けないので、バイオセンサチップの小型化を図ることができ、これに伴い、試料の採取量を少なくして対象者の負担を減少させることができる。さらに、試料採取器具は試薬が塗布されている中空反応部には連続していないので、穿刺時に試薬が対象者の体内に入るのを防止することができるという効果を有し、チップの中空反応部に収容した試薬を用いて化学物質の測定や分析を行うバイオセンサチップおよびその製造方法等として有用である。
【図面の簡単な説明】
【００４１】
【図１】（Ａ）は本発明に係るバイオセンサチップの一実施形態を示す平面図、図１（Ｂ）は（Ａ）中Ｂ−Ｂ位置の断面図
【図２】（Ａ）は本発明に係るバイオセンサチップの別の実施形態を示す平面図、図２（Ｂ）は（Ａ）中Ｂ−Ｂ位置の断面図
【図３】（Ａ）〜（Ｄ）は本発明のバイオセンサチップによる採血の状態を示す説明図
【図４】本発明に係るバイオセンサチップの製造方法を示す説明図
【図５】本発明にかかるバイオセンサシステムを示す構成図である。
【図６】従来のバイオセンサチップを示す断面図である。
【符号の説明】
【００４２】
１０  バイオセンサチップ
１１ａ、１１ｂ  基板
１２  スペーサ層
１３ａ、１３ｂ  検知用電極
１４  中空反応部
１５  試料採取器具
１５ａ  先端
１６  試料導入口
１８  ガイド部材
１９  粘着テープ（固定手段）
３０  バイオセンサシステム
３１  測定器
Ｂ  試料
Ｍ  指（検体）
【図１】
2007289358.tif 000003
【図２】
2007289358.tif 000004
【図３】
2007289358.tif 000005
【図４】
2007289358.tif 000006
【図５】
2007289358.tif 000007
【図６】
2007289358.tif 000008